(57)【要約】【課題】お財布携帯による決済を行う際に、決済処理の操作性向上を図ると共に、指静脈認証を用いることにより携帯電話所持者以外による決済の防止を図る。【解決手段】決済端末は、入力された取引内容を決済情報として制御し、決済開始イベントを生成して指静脈認証機能部付携帯電話に送信（ステップ１１）する。携帯電話は、決済開始イベントを受信（ステップ１２）し、決済開始イベント受信確認（ステップ１３）を行い、指静脈認証（ステップ１４）を実施する。指静脈認証の結果を判断し、本人確認ＯＫか（ステップ１５）を確認し、ＹＥＳの場合、決済内容を確定させ、決済情報送受信（ステップ１７）を、決済端末の決済情報送受信（ステップ１６）と連携して実施する。本人確認ＯＫかＮＯの場合は、決済内容が確定しなかったということを意味し、指静脈認証機能部付携帯電話での処理を終了する。【選択図】図１
2009146049.tif 000002
【特許請求の範囲】
【請求項１】
取引の取引内容を記憶し、前記取引内容の取引結果を管理する決済端末と、無線ネットワークを介して前記決済端末に接続され、前記決済端末との間で前記取引内容の決済を行う指静脈認証機能付携帯電話とを備える携帯電話を用いる決済システムにおいて、
前記決済端末は、前記取引が実施される毎に、前記取引内容を取込む取引内容取込み手段と、前記取引内容を記憶する手段と、前記取引が発生したことを示す決済情報及び前記指静脈認証機能付携帯電話から通知された決済結果の情報を管理する制御手段と、前記決済情報を前記指静脈認証機能付携帯電話に通知する決済情報通知手段と、前記指静脈認証機能付携帯電話から通知された前記決済結果の情報を決済センタに通知する決済結果情報通知手段とを備え、
前記指静脈認証機能付携帯電話は、前記決済端末から通知された前記決済情報に対し、前記指静脈認証機能付携帯電話によって決済する人が、前記指静脈認証機能付携帯電話の所持者であることを認証する認証手段と、前記認証毎に前記決済情報から支払を制御する手段と、前記決済を行う毎に決済結果を前記決済端末に通知する決済結果通知手段とを備えることを特徴とする携帯電話を用いる決済システム。
【請求項２】
請求項１に記載の携帯電話を用いる決済システムにおいて、
前記認証手段は、指の静脈パターンを指静脈情報として読取る読取手段と、
予め前記読取手段により読取った複数指の前記指静脈情報を記憶保持する手段と、
前記読取り手段により読取った前記指静脈情報と記憶保持している前記指静脈情報とを比較する本人確認手段とを備えて構成されること特徴とする携帯電話を用いる決済システム。
【請求項３】
請求項１または２記載の携帯電話を用いる決済システムにおいて、
前記指静脈認証機能付携帯電話は、前記記憶保持している複数指の前記指静脈情報のそれぞれと、前記決済のための条件情報とを対応付けて保持する保持手段を備えることを特徴とする携帯電話を用いる決済システム。
【請求項４】
請求項１記載の携帯電話を用いる決済システムにおいて、
前記決済端末は、前記記憶している前記取引内容を出力する出力手段と、前記指静脈認証機能付携帯電話から通知された前記決済結果を出力する出力手段とを備えることを特徴とする携帯電話を用いる決済システム。
【請求項５】
請求項１ないし４のうちいずれか１記載の携帯電話を用いる決済システムにおいて、
前記指静脈認証付携帯電話は、前記決済結果を自電話の表示部に出力する出力手段を備えることを特徴とする携帯電話を用いる決済システム。
【請求項６】
請求項２ないし５のうちいずれか１記載の携帯電話を用いる決済システムにおいて、
前記指静脈認証付携帯電話の前記読取手段は、指静脈情報を読取る面を保護し、先端の一部を上方に起こすことが可能な指の置き台付カバーを有し、上部に起こされた指の置き台付カバーの先端部が指の置き台となるように構成されたことを特徴とする携帯電話を用いる決済システム。
【請求項７】
取引の取引内容を記憶し、前記取引内容の取引結果を管理する決済端末と、無線ネットワークを介して前記決済端末に接続され、前記決済端末との間で前記取引内容の決済を行う指静脈認証機能付携帯電話とを備える携帯電話を用いる決済システムにおける決済方法おいて、
前記決済端末は、前記取引が実施される毎に、前記取引内容を取り込み、取り込んだ取引内容を記憶し、前記取引が発生したことを示す決済情報を管理し、前記決済情報を前記指静脈認証機能付携帯電話に通知し、
前記指静脈認証機能付携帯電話は、前記決済端末から通知された前記決済情報に対し、前記指静脈認証機能付携帯電話によって決済する人が、前記指静脈認証機能付携帯電話の所持者であることを認証し、前記認証毎に前記決済情報から支払を制御し、前記決済を行う毎に決済結果を前記決済端末に通知し、
前記決済端末は、前記指静脈認証機能付携帯電話から通知された前記決済結果を管理すると共に、前記決済結果を決済センタに通知することを特徴とする携帯電話を用いる決済システムにおける決済方法。
【発明の詳細な説明】
【技術分野】
【０００１】
本発明は、携帯電話を用いる決済システム及び決済方法に係り、特に、指静脈による認証機能を有する携帯電話を用いる決済システム及び決済方法に関する。
【背景技術】
【０００２】
近年、お財布機能を設けた携帯電話により、各種の料金支払いの決済を行う決済システムが利用されるようになってきている。このような決済システムに利用されるお財布携帯電話は、紛失や盗難にあってしまった場合に、その携帯電話が、他人により取引の決済、買い物等のために不正に利用されてしまう。そのため、この種の携帯電話には、通常、暗証番号による認証機能、生体認証デバイス等により本人を確認することが可能な機能が設けられている。また、携帯電話には、前述したような機能をロックしたり解除したりする機能も設けられている。
【０００３】
また、生体認証デバイスとして指紋認証デバイスが設けられた携帯電話があり、指紋認証デバイスが設けられた携帯電話を利用する決済システムにおいては、指紋認証デバイスに指等が押されたことにより指紋を読取り、予め登録された指紋情報とその指紋認証デバイスで読取られた指紋とを照合することにより認証を行い、本人であることが確認できた場合に、決済情報の送受信を行うことがてきるようにされている。なお、この種の指紋認証デバイスが設けられた携帯電話を用いた決済システムに関する従来技術として、例えば、特許文献１等に記載された技術が知られている。
【特許文献１】特開２００３−２７１９３７号公報
【発明の開示】
【発明が解決しようとする課題】
【０００４】
従来技術で説明した携帯電話のロック機能は、１度解除すると、一定時間の間、ロックが外れた状態になっている。このため、持ち主がロックを解除した後の一定時間ロックが外れた状態になっている間に、その携帯電話の紛失、盗難にあった場合、その携帯電話が他人に悪用される可能性がある。
【０００５】
また、指紋認証を行う従来技術は、決済時に認証デバイスを指先で押すため、指先が圧迫され生体情報に狂いが生じる可能性がある。そのため、デバイスを押したときに取得した生体情報と、予め登録された生体情報とを比較した場合に、誤認証をする可能性が大きくなるという問題点を有している。
【０００６】
一方、生体認証デバイスとしては、指紋認証デバイスと指静脈認証デバイスとがあり、指紋認証デバイスによる指紋情報は、指先の圧迫の影響をあまり受けない可能性があるが、指静脈認証デバイスによる指静脈情報は、血液の流れであり、指先の圧迫の影響を受ける可能性が大きい。
【０００７】
そのため、前述した従来技術は、この従来技術に利用されている指紋認証デバイスを携帯電話に設ける代りに、指静脈認証デバイスを携帯電話に取り付けて携帯電話の所有者の本人確認を行うためには適さないものである。
【０００８】
また、前述した従来技術は、認証デバイスに指が押された後、少しの時間が経過してから、指紋情報を読取ることにより、指の圧迫の問題を解決することが可能である。しかし、人がボタンを押し、そのボタンから指を元に戻す時間は、人それぞれにより異なり、押した後どのぐらいの時間で生体情報を読取るのか一定のタイミングを決めることは難しい。このため、前述した従来技術は、個人別に認証タイミングを設定せざるを得ないという問題点を生じさせている。
【０００９】
また、操作ボタンを押すことが得意な指は、大勢の人が「人差し指」であり、前述した従来技術での指紋認証は、「人差し指」を用いることに限られてしまう可能性が高い。そのため、前述した従来技術は、お財布携帯電話に複数の決済情報を保有し、指の種類の違いによって、自動的に１つの決済情報を選択するというような利用を行いたい場合に、その対応が難しいという問題点を有している。
【００１０】
本発明の目的は、前述したような点に鑑み、決済に使用する携帯電話の紛失、盗難があった場合にも、他人により不正利用されることを防止することができ、誤認証を少なくして、複数の決済情報を選択することができるようにした携帯電話を用いる決済システム及び決済方法を提供することにある。
【課題を解決するための手段】
【００１１】
本発明によれば前記目的は、取引の取引内容を記憶し、前記取引内容の取引結果を管理する決済端末と、無線ネットワークを介して前記決済端末に接続され、前記決済端末との間で前記取引内容の決済を行う指静脈認証機能付携帯電話とを備える携帯電話を用いる決済システムにおいて、前記決済端末は、前記取引が実施される毎に、前記取引内容を取込む取引内容取込み手段と、前記取引内容を記憶する手段と、前記取引が発生したことを示す決済情報及び前記指静脈認証機能付携帯電話から通知された決済結果の情報を管理する制御手段と、前記決済情報を前記指静脈認証機能付携帯電話に通知する決済情報通知手段と、前記指静脈認証機能付携帯電話から通知された前記決済結果の情報を決済センタに通知する決済結果情報通知手段とを備え、前記指静脈認証機能付携帯電話は、前記決済端末から通知された前記決済情報に対し、前記指静脈認証機能付携帯電話によって決済する人が、前記指静脈認証機能付携帯電話の所持者であることを認証する認証手段と、前記認証毎に前記決済情報から支払を制御する手段と、前記決済を行う毎に決済結果を前記決済端末に通知する決済結果通知手段とを備えることにより達成される。
【発明の効果】
【００１２】
本発明によれば、決済に使用する携帯電話の紛失、盗難があった場合にも、他人により不正利用されることを防止することができ、誤認証を少なくして、複数の決済情報を選択して決済を行うことが可能となる。
【発明を実施するための最良の形態】
【００１３】
以下、本発明による携帯電話を用いる決済システムの実施形態を図面により詳細に説明する。
【００１４】
１．システム全体の構成
図２は本発明の一実施形態による決済システムの全体の構成を示すブロック図である。以下に説明する本発明の実施形態は、生体認証デバイスとして指静脈認証デバイスが設けられた携帯電話を使用して各種の決済を行うことができるようにしたものである。
【００１５】
本発明の一実施形態による決済システムは、図２に示すように、指静脈認証デバイスを備えた指静脈認証機能付携帯電話２００と、決済端末２１０とが無線ネットワーク２２１により接続可能とされて構成される。そして、決済端末２１０は、決済ネットワークとしてのインターネットＶＰＮ２２０を介して図示しない決済センタに接続されている。インターネットＶＰＮは、インターネットを経由して構築される仮想的なプライベートネットワークであり、機密を保持したまま遠隔地のネットワーク同士をＬＡＮで接続しているのと同じように運用することができるネットワークである。
【００１６】
決済端末２１０は、取引された金額、内容を記憶し、お財布携帯電話で決済を行う場合には、無線ネットワーク２２１により指静脈認証機能付携帯電話２００に決済内容を通知する。また、決済端末は、指静脈認証機能付携帯電話で決済された結果を検知し、その結果をインターネットＶＰＮ２２０を通して決済センタへ通知する。
【００１７】
指静脈認証機能付携帯電話２００は、決済端末２１０から通知される決済内容を検知し、認証待ち状態となり、この状態で指静脈認証機能付携帯電話２００の指静脈情報読取部にあてがわれた指の指静脈情報を読取り、予め登録済みの指静脈情報との比較を行う。そして、指静脈認証機能付携帯電話２００は、比較の結果一致した場合に、指静脈情報読取部から読取った指静脈情報と連携している決済条件を決済結果として、決済端末２１０に無線ネットワーク２１０を介して通知する。
【００１８】
無線ネットワーク２１０は、指静脈認証機能付携帯電話２００に設けられる非接触ＩＣ等による近接無線方式を利用するものであってよい。
【００１９】
２．決済端末の構成
次に、決済端末２１０の概略構成について説明する。図２に示すように、決済端末２１０は、取引内容を入力する入出力機能部２１２と、入力された取引内容を記憶する記憶機能部２１３と、取引内容を決済情報として制御する制御機能部２１１と、決済情報をインターネットＶＰＮ２２０により決済センタへ通知する決済ネットワーク通信機能部２１５と、決済情報を無線ネットワーク２２１を介して指静脈認証機能付携帯電話２００に通知すると共に、無線ネットワーク２２１を介して指静脈認証機能付携帯電話２００から通知される決済結果を検知するお財布携帯通信機能部２１４とを備え、これらの機能部が内部接続回線２１６により接続されて構成される。
【００２０】
指静脈認証機能付携帯電話２００から通知され、お財布携帯通信機能部２１４により検知された決済結果は、記憶機能部２１３に記憶される。制御機能部２１１は、決済情報を制御する決済情報管理機能２１１１を備えている。
【００２１】
前述したような機能構成を有する決済端末２１０は、ハードウェアとして、ＣＰＵ、メモリ、ＨＤＤ等の記憶装置、通信装置等を備える情報処理装置の中に構築される。そして、記憶装置に格納されるプログラムをＣＰＵがメモリを使用して実行することにより前述した各機能部が構築され、後述する本発明での各種の処理が実行される。また、入出力機能部２１２として、ディスプレイ、キーボード、マウス、ディスプレイに設けられるタッチパネル等が備えられてよい。
【００２２】
３．指静脈認証機能付携帯電話の構成
次に、指静脈認証機能付携帯電話２００の概略構成について説明する。図２に示すように、指静脈認証機能付携帯電話２００は、決済端末２１０から通知される決済情報を把握する決済端末通信機能部２０５と、把握した決済情報を制御する制御機能部２０１と、指静脈情報読取部にあてがわれた指の指静脈情報を読取る入出力機能部２０３と、予め読取っておいた指静脈情報を記憶する記憶機能部２０４と、入出力機能部２０３が読取った指静脈情報と予め記憶機能部２０４に記憶している指静脈情報を比較して認証を行う指認証機能部２０２とを備え、これらの機能部が内部接続回線２０６により接続されて構成される。
【００２３】
制御機能部２０１は、入出力機能部２０３が読取った指静脈情報を制御する指静脈情報管理機能部２０１１と、指認証機能部２０２が、指静脈情報を比較して一致した場合に支払う情報を制御する支払機能部２０１０とを備えている。
【００２４】
前述したような機能構成を有する指静脈認証機能付携帯電話２００は、ハードウェアとして、ＣＰＵ、メモリ、ＲＯＭ等の記憶装置、通信装置等を備えて構成される。そして、記憶装置に格納されるプログラムをＣＰＵがメモリを使用して実行することにより前述した各機能部が構築され、後述する本発明での各種の処理が実行される。また、入出力機能部２１２として、ディスプレイ、キーボード等が備えられてよい。図２に示す指静脈認証機能付携帯電話２００の構成は、本発明の実施形態で必要な部分の構成であり、これら以外に、携帯電話として必要な機能を構成するハードウェア、ソフトウェアが備えられていることはいうまでもない。
【００２５】
図８は指静脈認証機能付携帯電話２００の外観の概略を示す斜視図である。指静脈認証機能付携帯電話２００は、指静脈情報を読取る表面がガラス面となっている入出力機能部２０３を備え、その上面には、ガラス面を保護すると共に、指の置き台ともなるスライド可能な指の置き台付カバー２２２が備えられている。指の置き台付カバー２２２は、その先端の一部を上方に起こすことが可能に構成され、上部に起こされた指の置き台付カバー２２２の先端部が指の置き台となる。また、置き台手前には、入出力機能ランプ２２３が備えられており、入出力機能部２０３が指静脈情報読取待ち状態の場合、入出力機能ランプ２２３が点滅、点灯等に制御されて指静脈認証機能付携帯電話２００の所持者に指静脈の読取りを行う状態になったことを知らせることができる。
【００２６】
図８に示す例は、指静脈の読取りを行うことが可能な状態を示しており、指静脈の読取りを行わないときには、指の置き台付カバー２２２は、図８の左手の方向にスライドし、上方に起き上がっている部分が閉じられて、入出力機能部２０３のガラス面を覆うことにより、入出力機能部２０３のガラス面を保護する。
【００２７】
入出力機能部２０３により指静脈の読込みを行う際、指の置き台付カバー２２２を開け、先端部を上部に起して形成された置き台に指を置く。このとき、指は、図８の左手側から、指の第１関節と指の先端との中間が置き台の先端に位置するように置かれる。この結果、入出力機能部２０３の上方には、指の第１関節と指の先端との中間から手首側が、ガラス面に接することなく、安定して置かれることになる。
【００２８】
４．各装置で実行される処理
図２の参照に戻って、各装置で実行される処理について説明する。
【００２９】
ユーザは、取引を実施する場合に、決済端末２１０の入出力機能部２１２から、例えば、取引金額、取引内容、支払い方法等の各種情報の入力を行う。その取引内容は、記憶機能部２１３に記憶され、制御機能部２１１は、決済情報として制御する。支払をお財布携帯で実施する場合、決済端末２１０は、記憶機能部２１３に記憶されている決済情報をお財布携帯通信機能部２１４を通して、指静脈認証機能付携帯電話２００の決済端末通信機能部２０５に通知する。
【００３０】
指静脈認証機能部付携帯電話２００は、制御機能部２０１が、決済端末２１０が決済端末通信機能部２０５に通知した決済情報を検知する。決済情報を検知した制御機能部２０１は、指静脈情報管理機能部２０１１により指静脈認証待ち状態として、ユーザに指静脈情報を読取ることを、入出力機能ランプ２２３を点滅あるいは点灯して通知する。指静脈認証機能部付携帯電話２００の入出力機能部２０３は、該入出力機能部２０３にあてがわれた指の指静脈情報を読取り、指静脈情報管理機能部２０１１の制御により、指認証機能部２０２が、予め記憶機能部２０４に記憶されている複数指の指静脈情報と、入出力機能部２０３が読取った指静脈情報とを比較して指種を特定する。
【００３１】
指種の特定ができた場合、支払機能部２０１０は、予め記憶機能部２０４に登録されているお財布情報を検索し、その指種に対応した決済内容を確定させる。決済内容の結果は、制御機能部２０１の制御により決済端末通信機能部２０５を介して、決済端末２１０のお財布携帯通信機能部２１４に通知される。
【００３２】
決済端末２１０は、指静脈認証機能部付携帯電話２００の決済端末通信機能部２０５から通知された決済内容の結果を制御機能部２１１が検知し、決済情報管理機能部２１１１により管理すると共に、記憶機能部２１３に記憶する。記憶機能部２１３に記憶された決済内容の結果は、決済情報管理機能部２１１１による制御により、決済ネットワーク通信機能部２１５からインターネットＶＰＮ２２０を介して決済センタに通知される。
【００３３】
図１は決済端末２１０と指静脈認証機能部付携帯電話２００とによる決済と処理動作を説明するフローチャートであり、次に、これについて説明する。
【００３４】
（１）決済端末２１０は、取引開始時に入力された取引内容を決済情報として制御し、決済開始イベントを生成し、その決済開始イベントを指静脈認証機能部付携帯電話２００に送信する（ステップ１１）。
【００３５】
（２）指静脈認証機能部付携帯電話２００は、決済端末２１０からの決済開始イベントを受信して、その決済開始イベント受信確認を行って、その後に、指静脈認証を実施する（ステップ１２〜１４）。
【００３６】
（３）ステップ１４での指静脈認証の結果を判断し、本人確認がＯＫか否かを判定し、本人確認がＯＫでなかった場合、決済内容が確定しなかったということを意味し、処理を進めることなく指静脈認証機能部付携帯電話２００での処理を終了する（ステップ１５）。
【００３７】
（４）ステップ１５での判定で、本人確認がＯＫであった場合、指静脈認証機能部付携帯電話２００は、決済内容を確定させ、決済情報送受信を決済端末２１０との間で連携して実施する。決済情報送受信の終了後、指静脈認証機能部付携帯電話２００及び決済端末２１０は、処理を終了する（ステップ１７、１６）。
【００３８】
図５は図１に示すフローのステップ１１での決済開始イベントの送信処理と、ステップ１２での決済開始イベントの受信処理の詳細を説明するフローチャートであり、次に、これについて説明する。
【００３９】
図１のステップ１１での決済端末２１０における決済開始イベントの送信処理において、決済端末２１０は、入出力機能部２１２から入力された取引内容を入力し、その入力内容を元に支払確定イベントを入力（ステップ５０１）する処理を実施し、支払い開始信号を指静脈認証機能部付携帯電話２００に送信（ステップ５０２）する処理を実施する。
【００４０】
図１のステップ１２での指静脈認証機能部付携帯電話２００における、決済開始イベントの受信処理において、指静脈認証機能部付携帯電話２００は、ステップ５０２の処理で決済端末２１０から送信されてきた払い開始信号を受信（ステップ５０３）する。支払い開始信号の受信（ステップ１３）が確認されれば次の処理へ遷移する。
【００４１】
図３は指静脈認証機能部付携帯電話２００の記憶機能部２０４に記憶されている指静脈情報３の内容を説明する概念図である。指静脈情報３には、予め登録しておいた指の種類である指種３１とその各指種に該当する指の静脈パターンである静脈情報３２とが括りつけられて格納されている。
【００４２】
図４は指静脈認証機能部付携帯電話２００の記憶機能部２０４に記憶されているお財布情報４の内容を説明する概念図である。お財布情報４には、予め登録されている指種４１と、その各指種４１が保有している決済に必要な情報であるＩＤ番号４２、決済条件の有効期限４３、その決済内容のニックネームを表すカードニックネーム４４とが格納されている。これらの情報は、一例であり、決済に必要な他の情報についても同様にお財布情報４として格納することができる。
【００４３】
図６は図１に示すフローの指静脈認証機能部付携帯電話２００で実施されるステップ１４での指静脈認証処理と、ステップ１５での本人確認がＯＫかの判定処理と、ステップ１７での決済情報送受信処理の詳細を説明するフローチャートであり、次に、これについて説明する。
【００４４】
（１）ステップ１４での指静脈認証処理において、まず、指認証機能部２０２は、指静脈認証機能部付携帯電話２００の入出力機能部２０３にあてがわれた指の指静脈情報の読込み６０１を行い、記憶機能部２０４に格納されている予め登録されている指静脈情報３を読込む（ステップ６０１、６０２）。
【００４５】
（２）次に、ステップ１５での本人確認処理において、ステップ６０１と６０２との処理で読込んだ入出力機能部２０３からの指静脈情報と、記憶機能部２０４からの予め登録されている指静脈情報３との比較を行い、この比較で、入出力機能部２０３にあてがわれた指の指種を特定することができなかった場合、何もせずに、ここでの処理を終了する（ステップ６０３）。
【００４６】
（３）ステップ６０３の比較で、入出力機能部２０３にあてがわれた指の指種を特定することができた場合、ステップ１７における決済情報送受信の処理に移行し、ステップ６０３の処理で特定した指種を元に、記憶機能部２０４に予め登録しているお財布情報４を検索し、検索した結果の情報として、ＩＤ番号４２、有効期限４３、カードニックネーム４４を含む情報をお財布情報として、決済端末通信機能部２０５を経由してお財布情報の送受信を実施して、決済端末２１０へ通知する（ステップ６０４、６０５）。
【００４７】
図７は前述の処理の中で指静脈認証機能部付携帯電話２００に表示される決済可否を示す画面例を示す図である。指静脈認証機能部付携帯電話２００に予め登録されている指静脈情報３と指静脈認証機能部付携帯電話２００の所持者の指静脈情報とが一致し、決済が実行された場合、指種に従って、どのお財布情報により決済を行ったことを示す７００、７０１として示すような画面が表示される。また、決済が実行されなかった場合には、決済を行うことができなかったことを示す７０２として示すような画面が表示される。
【００４８】
前述した図６に示すフローにおけるステップ６０１の処理のタイミングで、図８に示すは指静脈認証機能部付携帯電話２００は、指認証機能部２０２により指静脈情報の読込みタイミングであることを、入出力機能部ランプ２２３が点滅、点灯等に制御され、指静脈認証機能部付携帯電話２００の所持者へ知らせる。指静脈認証機能部付携帯電話２００の所持者は、指の置き台付カバー２２２をスライドさせ、指静脈認証機能部付携帯電話２００の入出力機能部２０３を露出させ、スライドさせた指の置き台付カバー２２２の置き台に指を置き、指静脈情報の読込みを行わせる。
【００４９】
前述した本発明の実施形態での各処理は、プログラムにより構成し、本発明が備えるＣＰＵに実行させることができ、また、それらのプログラムは、ＦＤ、ＣＤＲＯＭ、ＤＶＤ等の記録媒体に格納して提供することができ、また、ネットワークを介してディジタル情報により提供することができる。
【００５０】
前述した本発明の実施形態は、取引内容が入力された決済端末が、その取引内容を記憶すると共に、取引内容に基づいた決済情報を指静脈認証機能付携帯電話に通知し、指静脈認証機能付携帯電話が、決済端末から通知された前記決済情報が検知されたときに、決済開始と判断し指静脈による認証を開始するように構成される。
【００５１】
このような構成を持つ本発明の実施形態によれば、指静脈認証機能付携帯電話が、決済端末から通知される前記決済情報を検知したときのみ、前記指静脈認証機能付携帯電話の所持者に対する認証を実施するため、セキュリティの向上を図ることができる。
【００５２】
また、指静脈認証機能付携帯電話は、認証の際に、読取り精度を向上させる形状で、指の置き台となっている指静脈読取部に指をあてがうことにより、指静脈情報を読取り、予め記憶している指静脈情報と比較し認証を行うように構成される。
【００５３】
このような構成を持つ本発明の実施形態によれば、読取り部の指の置き台に沿って、正確に指を置くことができ、再読取りが少なくなり、かつ、読取る指静脈部分が圧迫されず、指の静脈パターンに歪みが生じなくなるため、再読取りが少なくなり、本人であることを確認する割合である本人認証率の精度向上と操作性向上とを図ることができる。
【００５４】
また、前述した本発明の実施形態は、取引内容に基づいた前記決済情報を指静脈認証機能付携帯電話に通知し、指静脈認証機能付携帯電話が前記決済端末から通知された前記決済情報を検知したときに、決済開始と判断し指静脈による認証を開始し、認証が開始されると、前記指静脈認証機能付携帯電話の前記指静脈読取部が、指があてがわれる動作を待っている状態となりこの状態の間に前記指静脈読取部に指があてがわれると、あてがわれた指の指静脈情報を読取り、予め記憶している前記指静脈情報と比較し認証を行うように構成される。
【００５５】
このような構成を持つ本発明の実施形態によれば、認証のタイミングを指静脈認証機能付携帯電話の所持者による認証タイミング、すなわち、個人による指の読取りタイミングによるものではないものとして、指の読取りタイミングを一定のタイミングとすることができ、本人であることを確認する割合である本人認証率の精度向上を図ることができる。
【００５６】
また、前述した本発明の実施形態は、指静脈認証機能付携帯電話が複数指の指静脈情報を記憶する手段と、複数指の前記指静脈情報が、指静脈情報毎に支払機能と連携し、決済可能な条件情報を保有する手段を備え、指静脈認証機能付携帯電話の前記指静脈読取部が、指をあてがう動作のみで指静脈情報を読取る手段を備えて構成される。
【００５７】
このように構成を持つ本発明の実施形態によれば、指静脈情報読取部にあてがう指は一種類に限られることなく、指静脈読取部で読取った指静脈情報と連携した決済可能な条件情報を選択することができ、利便性の向上を図ることができる。
【図面の簡単な説明】
【００５８】
【図１】決済端末と指静脈認証機能部付携帯電話とによる決済と処理動作を説明するフローチャートである。
【図２】本発明の一実施形態による決済システムの全体の構成を示すブロック図である。
【図３】指静脈認証機能部付携帯電話の記憶機能部に記憶されている指静脈情報の内容を説明する概念図である。
【図４】指静脈認証機能部付携帯電話の記憶機能部に記憶されているお財布情報の内容を説明する概念図である。
【図５】図１に示すフローのステップ１１での決済開始イベントの送信処理と、ステップ１２での決済開始イベントの受信処理の詳細を説明するフローチャートである。
【図６】図１に示すフローの指静脈認証機能部付携帯電話で実施されるステップ１４での指静脈認証処理と、ステップ１５での本人確認がＯＫかの判定処理と、ステップ１７での決済情報送受信処理の詳細を説明するフローチャートである。
【図７】図６に示す処理の中で指静脈認証機能部付携帯電話に表示される決済可否を示す画面例を示す図である。
【図８】指静脈認証機能付携帯電話の外観の概略を示す斜視図である。
【符号の説明】
【００５９】
２００  指静脈認証機能部付携帯電話
２０１、２１１  制御機能部
２０１０  支払い機能部
２０１１  指静脈情報管理機能部
２０２  指認証機能部
２０３  入出力機能部
２０４、２１３  記憶機能部
２０５  決済端末通信機能部
２０６、２１６  内部接続回線
２１０  決済端末
２１１１  決済情報管理機能部
２１２  入出力機能部
２１４  お財布携帯通信機能部
２１５  決済ネットワーク通信機能部
２２０  インターネットＶＰＮ
２２１  無線ネットワーク
２２２  指の置き台付カバー
２２３  入出力機能部ランプ
【図１】
2009146049.tif 000003
【図２】
2009146049.tif 000004
【図３】
2009146049.tif 000005
【図４】
2009146049.tif 000006
【図５】
2009146049.tif 000007
【図６】
2009146049.tif 000008
【図７】
2009146049.tif 000009
【図８】
2009146049.tif 000010